(57)【特許請求の範囲】
【請求項１】
車両の走行に用いる電力を供給し、前記車両に対して着脱可能である複数個の蓄電池モジュールを利用する電力供給装置であって、
前記複数個の蓄電池モジュールから選択される１個ないし複数個の蓄電池モジュールが着脱可能に装着される装着装置と、前記装着装置に装着された蓄電池モジュールの充放電が可能である充放電装置と、前記充放電装置を制御する制御装置とを備え、
前記制御装置は、前記装着装置に前記蓄電池モジュールが装着されている場合に、前記蓄電池モジュールから電気負荷への給電と前記蓄電池モジュールへの充電との少なくとも一方を行い、
前記制御装置は、前記車両について予定されている走行距離を入力情報として、前記走行距離を満たす充電容量と前記蓄電池モジュールの容量とから前記車両に搭載する蓄電池モジュールの個数を定め、前記車両に搭載する蓄電池モジュールの充電容量が当該走行距離を満たすように前記充放電装置を制御することを特徴とする電力供給装置。
【請求項２】
前記充放電装置は、前記装着装置に装着された前記蓄電池モジュールを個別に充放電する機能を有することを特徴とする請求項１記載の電力供給装置。
【請求項３】
前記充放電装置は、前記装着装置に装着された前記蓄電池モジュールを個別に充電する機能を有し、前記制御装置は、前記走行距離を満たす充電容量に達するまで前記車両に搭載する蓄電池モジュールを順に充電することを特徴とする請求項１記載の電力供給装置。
【請求項４】
前記制御装置は、前記複数個の蓄電池モジュールごとに蓄電池の劣化度を計測する劣化計測手段と、前記蓄電池の劣化が進行して劣化度が規定した第１の基準値に達すると前記蓄電池モジュールが前記車両に適さなくなったことを報知し、前記蓄電池の劣化がさらに進行して劣化度が第１の基準値よりも大きい第２の基準値に達すると前記蓄電池モジュールが前記電気負荷への給電に使用できなくなったことを報知する報知手段とを備えることを特徴とする請求項１〜３のいずれか１項に記載の電力供給装置。
【請求項５】
前記充放電装置は、分電盤に接続され、
前記分電盤は商用電源の電力系統に接続され、前記制御装置は、電気事業者が管理する端末装置と通信する通信手段を備え、前記装着装置に前記蓄電池モジュールが装着された状態において、前記通信手段を通して前記端末装置から指示を受けたときに前記蓄電池モジュールから放電して前記電気負荷に給電することを特徴とする請求項１記載の電力供給装置。
【請求項６】
車両の走行に用いる電力を供給し、前記車両に対して着脱可能である複数個の蓄電池モジュールを利用する電力供給方法であって、
前記複数個の蓄電池モジュールから選択される１個ないし複数個の蓄電池モジュールが着脱可能に装着される装着装置と、前記装着装置に装着された蓄電池モジュールの充放電が可能である充放電装置を制御する制御装置とを用い、
前記制御装置が、
前記車両について予定されている走行距離を入力情報として、前記走行距離を満たす充電容量と前記蓄電池モジュールの容量とから前記車両に搭載する蓄電池モジュールの個数を定めるステップと、
前記車両に搭載する蓄電池モジュールの充電容量が当該走行距離を満たすように前記充放電装置を制御するステップとを有する
ことを特徴とする電力供給方法。
【請求項７】
車両に搭載される複数個の蓄電池モジュールから選択される１個ないし複数個の蓄電池モジュールが着脱可能に装着されるように構成された装着装置に装着された蓄電池モジュールの充放電が可能な充放電装置を制御する制御装置であって、
前記車両について予定されている走行距離を入力情報として、前記走行距離を満たす充電容量と前記蓄電池モジュールの容量とから前記車両に搭載する蓄電池モジュールの個数を定め、前記車両に搭載する蓄電池モジュールの充電容量が当該走行距離を満たすように前記充放電装置を制御する
ことを特徴とする制御装置。
【請求項８】
コンピュータを、制御装置として機能させるためのプログラムであって、
前記制御装置は、
車両に搭載される複数個の蓄電池モジュールから選択される１個ないし複数個の蓄電池モジュールが着脱可能に装着される装着装置に装着された蓄電池モジュールの充放電が可能な充放電装置を制御し、
前記車両について予定されている走行距離を入力情報として、前記走行距離を満たす充電容量と前記蓄電池モジュールの容量とから前記車両に搭載する蓄電池モジュールの個数を定め、前記車両に搭載する蓄電池モジュールの充電容量が当該走行距離を満たすように前記充放電装置を制御する
ことを特徴とするプログラム。
【発明の詳細な説明】
【技術分野】
【０００１】
本発明は、蓄電池の電力を用いて走行する車両と配電線が敷設されている建物との間で電力の需給を連携させる電力供給装置、および電力供給方法、制御装置、プログラムに関するものである。
【背景技術】
【０００２】
従来から、電気自動車のような車両に搭載された蓄電池の電力を建物に供給する技術が提案されている（たとえば、特許文献１、特許文献２参照）。特許文献１には、住宅の配電線に充放電器が接続され、電気自動車に搭載された蓄電池が必要に応じて充放電器に接続される電力供給システムが記載されている。また、特許文献２には、建物に電力変換部が設けられ、必要に応じて自動車の車載バッテリから電力変換部を通して建物の電気負荷に給電する電源システムが記載されている。
【先行技術文献】
【特許文献】
【０００３】
【特許文献１】特開２００７−３３００８３号公報
【特許文献２】特開２００９−２７８７７６号公報
【発明の概要】
【発明が解決しようとする課題】
【０００４】
ところで、特許文献１、２に記載された技術は、自動車が搭載している蓄電池を、建物に設けられた電力変換器（充放電器、電力変換部）と電線を介して接続することにより、蓄電池の電力を建物で使用可能にしている。したがって、特許文献１、２に記載された技術では、自動車に搭載された蓄電池の電力を建物で使用している間に自動車を使用する必要が生じた場合、建物では蓄電池の電力を使用できなくなり、商用電源などの別電源から供給される電力を使用することになる。
【０００５】
したがって、別電源が商用電源である場合、特許文献１に記載された技術では、自動車に搭載された蓄電池の残存容量に余裕があっても電力の購入が必要になる。一方、特許文献２に記載された技術では、建物に住宅用バッテリが設けられているから、住宅用バッテリの残存容量に余裕があれば商用電源から電力を購入することなく自動車を使用することが可能である。しかしながら、特許文献２に記載された構成では、自動車に搭載された車載バッテリのほかに住宅用バッテリが必要になる。
【０００６】
ここに、車両を走行させたり、建物で電気負荷を動作させたりするには、大容量の蓄電池が必要であるから、価格が２００万円程度と高価になる。したがって、特許文献２に記載の技術のように、車載バッテリに加えて住宅用バッテリが必要になると、導入費用が大幅に増加し、普及させることが困難になる。
【０００７】
本発明は、車両を走行させる蓄電池の電力を建物でも使用可能にする構成であって、蓄電池の電力を建物で使用する間に車両の走行を可能にし、しかも、車両用以外の蓄電池を購入する必要がなく導入費用の増加を抑制することができる電力供給装置、電力供給方法、制御装置、プログラムを提供することを目的とする。
【課題を解決するための手段】
【０００８】
本発明に係る電力供給装置は、車両の走行に用いる電力を供給し、前記車両に対して着脱可能である複数個の蓄電池モジュールを利用する電力供給装置であって、前記複数個の蓄電池モジュールから選択される１個ないし複数個の蓄電池モジュールが着脱可能に装着される装着装置と、前記装着装置に装着された蓄電池モジュールの充放電が可能である充放電装置と、前記充放電装置を制御する制御装置とを備え、前記制御装置は、前記装着装置に前記蓄電池モジュールが装着されている場合に、前記蓄電池モジュールから電気負荷への給電と前記蓄電池モジュールへの充電との少なくとも一方を行い、前記制御装置は、前記車両について予定されている走行距離を入力情報として、前記走行距離を満たす充電容量と前記蓄電池モジュールの容量とから前記車両に搭載する蓄電池モジュールの個数を定め、前記車両に搭載する前記蓄電池モジュールの充電容量が当該走行距離を満たすように前記充放電装置を制御することを特徴とする。
【００１０】
この電力供給装置において、前記充放電装置は、前記装着装置に装着された前記蓄電池モジュールを個別に充放電する機能を有することが好ましい。
【００１１】
この電力供給装置において、前記充放電装置は、前記装着装置に装着された前記蓄電池モジュールを個別に充電する機能を有し、前記制御装置は、前記走行距離を満たす充電容量に達するまで前記車両に搭載する蓄電池モジュールを順に充電することが好ましい。
【００１３】
この電力供給装置において、前記制御装置は、前記複数個の蓄電池モジュールごとに蓄電池の劣化度を計測する劣化計測手段と、前記蓄電池の劣化が進行して劣化度が規定した第１の基準値に達すると前記蓄電池モジュールが前記車両に適さなくなったことを報知し、前記蓄電池の劣化がさらに進行して劣化度が第１の基準値よりも大きい第２の基準値に達すると前記蓄電池モジュールが前記電気負荷への給電に使用できなくなったことを報知する報知手段とを備えることがさらに好ましい。
【００１５】
この電力供給装置において、前記充放電装置は、分電盤に接続され、前記分電盤は商用電源の電力系統に接続され、前記制御装置は、電気事業者が管理する端末装置と通信する通信手段を備え、前記装着装置に前記蓄電池モジュールが装着された状態において、前記通信手段を通して前記端末装置から指示を受けたときに前記蓄電池モジュールから放電して前記電気負荷に給電することがさらに好ましい。
【００１６】
本発明に係る電力供給方法は、車両の走行に用いる電力を供給し、前記車両に対して着脱可能である複数個の蓄電池モジュールを利用する電力供給方法であって、前記複数個の蓄電池モジュールから選択される１個ないし複数個の蓄電池モジュールが着脱可能に装着される装着装置と、前記装着装置に装着された蓄電池モジュールの充放電が可能である充放電装置を制御する制御装置とを用い、前記制御装置が、前記車両について予定されている走行距離を入力情報として、前記走行距離を満たす充電容量と前記蓄電池モジュールの容量とから前記車両に搭載する蓄電池モジュールの個数を定めるステップと、前記車両に搭載する蓄電池モジュールの充電容量が当該走行距離を満たすように前記充放電装置を制御するステップとを有することを特徴とする。
本発明に係る制御装置は、車両に搭載される複数個の蓄電池モジュールから選択される１個ないし複数個の蓄電池モジュールが着脱可能に装着されるように構成された装着装置に装着された蓄電池モジュールの充放電が可能な充放電装置を制御する制御装置であって、前記車両について予定されている走行距離を入力情報として、前記走行距離を満たす充電容量と前記蓄電池モジュールの容量とから前記車両に搭載する蓄電池モジュールの個数を定め、前記車両に搭載する蓄電池モジュールの充電容量が当該走行距離を満たすように前記充放電装置を制御することを特徴とする。
本発明に係るプログラムは、コンピュータを、制御装置として機能させるためのプログラムであって、前記制御装置は、車両に搭載される複数個の蓄電池モジュールから選択される１個ないし複数個の蓄電池モジュールが着脱可能に装着される装着装置に装着された蓄電池モジュールの充放電が可能な充放電装置を制御し、前記車両について予定されている走行距離を入力情報として、前記走行距離を満たす充電容量と前記蓄電池モジュールの容量とから前記車両に搭載する蓄電池モジュールの個数を定め、前記車両に搭載する蓄電池モジュールの充電容量が当該走行距離を満たすように前記充放電装置を制御することを特徴とする。
【発明の効果】
【００１７】
本発明の構成によれば、車両を走行させる蓄電池の電力を建物でも使用可能であり、しかも、蓄電池の電力を建物で使用する間にも車両の走行が可能であり、さらに、車両用以外の蓄電池を購入する必要がなく導入費用の増加を抑制することができるという利点がある。
【図面の簡単な説明】
【００１８】
【図１】実施形態を示すブロック図である。
【図２】同上に用いる制御装置の動作説明図である。
【発明を実施するための形態】
【００１９】
以下に説明する実施形態は、建物として戸建て住宅を例示する。建物は、戸建て住宅のほか、店舗、集合住宅などであってもよく、建物についてとくに制限はないが、車両の走行に用いる蓄電池の容量、建物の電気負荷で使用する電力量は考慮する必要がある。また、車両は、電気自動車が望ましいが、走行用の動力として電動機とともにガソリンエンジンを備えたハイブリッド車や電動二輪車（いわゆる、電動バイク、電動スクータ）などであってもよい。ただし、蓄電池は、車両の走行に用いるだけではなく、建物の電気負荷に給電する目的でも用いるから、全体としての容量（公称容量）が比較的大きい蓄電池を搭載した車両が望ましい。以下では、車両が電気自動車である場合を想定して説明する。
【００２０】
図１に示すように、電気自動車２０は、走行に用いる電力を供給するための蓄電池モジュール２１が搭載される。蓄電池モジュール２１は、高エネルギーを蓄えるために、多数個の蓄電池（セル）２１１をパッケージに内蔵している。電気自動車２０は、複数個の蓄電池モジュール２１が搭載可能である保持装置２２を備える。保持装置２２は、複数個の蓄電池モジュール２１を保持するときには、蓄電池モジュール２１を並列に接続する。電気自動車２０は、１個以上の蓄電池モジュール２１が保持装置２２に装着されていると、蓄電池モジュール２１から供給される電力による走行が可能になる。
【００２１】
保持装置２２は、規定個数の蓄電池モジュール２１を直列に接続する構成を採用してもよいが、この場合、保持装置２２が保持する蓄電池モジュール２１の個数は規定個数の整数倍であることが要求される。また、保持装置２２に装着する蓄電池モジュール２１の最小個数は上述した規定個数になる。
【００２２】
ところで、電気自動車２０に用いられる蓄電池モジュール２１の出力電圧は、一般に高圧（たとえば、３００Ｖ程度）であり、保持装置２２に対して蓄電池モジュール２１を着脱する際にアークが発生すると電極の劣化などの不都合が生じる。したがって、保持装置２２は、蓄電池モジュール２１を着脱する際に回路を遮断する機能を有していることが好ましい。
【００２３】
蓄電池モジュール２１は、保持装置２２に対して非接触で電力を伝達するように構成してもよい。非接触で電力を伝達する構成を採用すると、蓄電池モジュール２１を保持装置２２に着脱する際にアークの発生がなく、蓄電池モジュール２１の取り扱いが容易になる。ただし、蓄電池モジュール２１から保持装置２２に非接触で電力を伝達すると、蓄電池モジュール２１の電極を保持装置２２の接触子に接触させる場合よりも電力の伝達効率が低下する。したがって、磁界共振型や電界共振型のように、電力伝達効率の高い非接触給電の技術を採用することが望ましい。
【００２４】
一方、建物３０には、電気自動車２０に搭載された蓄電池モジュール２１から選択される１個以上の蓄電池モジュール２１を利用して、建物３０で使用する電気負荷３１への給電を行う電力供給装置１０が設けられる。電力供給装置１０は、１個ないし複数個の蓄電池モジュール２１が着脱可能に装着される装着装置１１を備える。装着装置１１は、電気自動車２０に設けた保持装置２２と同様に、複数個の蓄電池モジュール２１を装着可能であり、１個以上の蓄電池モジュール２１が装着されることにより、建物３０の電気負荷３１への給電が可能になる。また、装着装置１１は、保持装置２２と同様に、接触式あるいは非接触式で蓄電池モジュール２１との間で電力を伝達する。
【００２５】
電気自動車２０の保持装置２２が蓄電池モジュール２１の電力を伝達する構成が接触式であれば装着装置１１も接触式になり、保持装置２２が非接触式であれば装着装置１１も非接触式であることが望ましい。ただし、装着装置１１と保持装置２２とにおいて蓄電池モジュール２１との間で電力を伝達する形式を異ならせることも可能である。ここに、保持装置２２は、蓄電池モジュール２１から受電のみを行うのに対して、装着装置１１は、蓄電池モジュール２１との間で電力を双方向に伝達する。さらに、装着装置１１と保持装置２２とは、ケーブル２３を介して電気的に接続することも可能である。あるいはまた、電気自動車２０に充電用のソケットを設けている場合、建物３０側にプラグを設けておき、電気自動車２０を建物３０に所定の場所に駐車した状態でプラグとソケットとが自動的に結合されるようにしてもよい。
【００２６】
建物３０は、商用電源の電力系統３２から受電する分電盤３３を備える。分電盤３３には、上述した電力供給装置１０が接続され、さらに図示例では分電盤３３に太陽光発電装置３４が接続されている。また、電気負荷３１は、分電盤３３で分岐された配電線３５を通して給電される。電気負荷３１は、建物３０で使用される照明機器、情報機器、映像機器、音響機器、厨房機器、健康機器など、電力を用いて動作する機器や装置を意味する。
【００２７】
電力供給装置１０は、装着装置１１に装着された１個ないし複数個の蓄電池モジュール２１の充電と放電とを行う充放電装置１２を備える。充放電装置１２は、装着装置１１に装着された蓄電池モジュール２１の充電と放電とをまとめて行う構成を採用することが可能であるが、本実施形態では、装着装置１１に装着された蓄電池モジュール２１の充電と放電とを個別に行う構成を採用している。すなわち、装着装置１１は、蓄電池モジュール２１を個別に装着する複数個の取付部（図示せず）を備え、充放電装置１２は、蓄電池モジュール２１の充電と放電とを取付部ごとに選択可能になっている。
【００２８】
電気自動車２０に設けた保持装置２２も装着装置１１と同様に取付部（図示せず）を備える。装着装置１１と保持装置２２とがケーブルあるいはソケットを介して接続されている状態では、保持装置２２に装着された蓄電池モジュール２１は、装着装置１１に装着された場合と同様に扱われることが好ましい。すなわち、充放電装置１２は、保持装置２２に装着された蓄電池モジュール２１の充電と放電とを取付部ごとに行うことが好ましい。
【００２９】
また、充放電装置１２は、取付部ごとに蓄電池モジュール２１の有無を検出する機能を有し、蓄電池モジュール２１が装着されていない取付部との間では電力の需給を禁止する機能を備える。取付部における蓄電池モジュール２１の有無は、機械的なスイッチあるいは光電スイッチを用いて検出される。
【００３０】
したがって、充放電装置１２は、装着装置１１に複数個の蓄電池モジュール２１が装着されている場合に、一部の蓄電池モジュール２１を充電の対象とし、残りの蓄電池モジュール２１を放電の対象とすることが可能になる。ただし、いずれかの蓄電池モジュール２１に蓄電を行っている間に、他の蓄電池モジュールから放電することはできず、異なる蓄電池モジュール２１であっても、充電と放電とは異なる時刻に行われる。言い換えると、装着装置１１に装着されている蓄電池モジュール２１の間で電力が授受されることは禁止されている。
【００３１】
充放電装置１２は分電盤３３に接続される。分電盤３３内において、充放電装置１２が蓄電池モジュール２１を充電する電力は、商用電源の電力系統３２あるいは太陽光発電装置３４から供給される。また、充放電装置１２は、蓄電池モジュール２１の電力を用いて電気負荷３１に給電する機能も備える。したがって、装着装置１１に蓄電池モジュール２１が装着されている場合に、当該蓄電池モジュール２１を充電することと、当該蓄電池モジュール２１を放電させて蓄電池モジュール２１の電力を用いて電気負荷３１に給電することとが可能になる。
【００３２】
太陽光発電装置３４のように再生可能エネルギーないし自然エネルギーを用いて発電する発電装置を建物３０に備えている場合、発電装置を電力系統３２と連系させる構成と、発電装置を電力系統３２と連系させない構成とのいずれかが採用される。発電装置を電力系統３２と連系させない場合、発電装置で発電された電力のうち建物３０の電気負荷３１で利用されない余剰分は蓄電池モジュール２１に充電される。また、発電装置を電力系統３２と連系させている場合、発電装置で発電された電力のうち建物３０の電気負荷３１で利用されない余剰分は、原則として電力系統３２に逆潮流され、電力系統３２への逆潮流を行えない場合、蓄電池モジュール２１に充電される。
【００３３】
ところで、充放電装置１２が、蓄電池モジュール２１への充電を行うか、蓄電池モジュール２１からの放電を行うかは、制御装置１３に指示される。制御装置１３は、図示例では建物３０に設けられているが、建物３０とは別に設けられていてもよい。制御装置１３が建物３０とは別に設けられている場合には、充放電装置１２と制御装置１３との間で通信を行う。制御装置１３は、マイコン（ＤＳＰ、ＦＰＧＡ、ＰＩＣなどであってもよい）のようにプログラムに従って動作するプロセッサを主要なハードウェアとして備える。また、制御装置１３は、液晶表示器のようなドットマトリクス方式の表示器を備える表示手段１３１と、タッチスイッチのような操作手段１３２とを備える。操作手段１３２は、押釦スイッチのような機械接点を備えるスイッチであってもよい。
【００３４】
制御装置１３は、電気自動車２０について予定されている走行距離が操作手段１３２から入力されると、入力された走行距離に応じて蓄電池モジュール２１の充電容量を制御する。蓄電池モジュール２１の充電容量は、蓄電池モジュール２１に保持されている電荷量に相当する。ここでは、説明を簡単にするために、１日を単位として蓄電池モジュール２１を装着装置１１に装着する場合を想定する。
【００３５】
いま、電気自動車２０を翌日に使用するために、蓄電池モジュール２１を装着装置１１に装着して充電を行っていると仮定する。この場合、すべての蓄電池モジュール２１を満充電にし、すべての蓄電池モジュール２１を電気自動車２０に搭載することが考えられるが、電気自動車２０に蓄電池モジュール２１を搭載している間は、建物３０では蓄電池モジュール２１を利用できなくなる。また、買い物に用いる場合など、建物３０から数ｋｍ程度の範囲で電気自動車２０を使用する場合、すべての蓄電池モジュール２１を満充電にして搭載しても、充電容量のうちの多くが使用されずに残存することになる。すなわち、当日に必要な充電容量を大幅に上回る無駄に大きい充電容量の蓄電池モジュール２１を電気自動車２０に搭載することになる。そのため、電気自動車２０の重量が大きくなってエネルギーの損失量が増加する（言い換えると、エネルギー利用効率が低下する）上に、蓄電池モジュール２１の満充電を日々繰り返すことによって、蓄電池２１１が劣化しやすくなる。
【００３６】
そこで、制御装置１３は、操作手段１３２から翌日の走行距離の予定が入力情報として入力されると、翌日に電気自動車２０に搭載する蓄電池モジュール２１の充電容量が予定された走行距離を満たすように充放電装置１２を制御する。すなわち、制御装置１３は、操作手段１３２から入力された走行距離を満足する充電容量を計算し、かつ翌日に電気自動車２０に搭載する蓄電池モジュール２１の個数を計算する計算手段１３３を備える。計算手段１３３により電気自動車２０に搭載する蓄電池モジュール２１の個数が求められると、制御装置１３は、当該個数の蓄電池モジュール２１の充電容量が、計算手段１３３により求められた充電容量になるように充放電装置１２を制御する。
【００３７】
ところで、翌日の走行距離は、操作手段１３２から数値で入力可能であるが、一般の利用者にとって走行距離を数値で正しく入力するのは容易ではない。そこで、カーナビゲーション装置のように、出発地点と目的地点（複数地点の入力を可能にしておく）とを地図上で入力する機能を制御装置１３に設け、制御装置１３が自動的にコースを設定し、設定されたコースでの走行距離を自動的に算出することが望ましい。
【００３８】
また、子供の送り迎えや買い物に電気自動車２０を使用する場合のように、日々、繰り返して同じコースを利用する場合もある。このような場合に備えて、制御装置１３は、複数のコースを選択肢としてあらかじめ登録する機能を備え、操作手段１３２を用いて翌日に利用するコースが選択されると、走行距離を自動的に計算する機能を備えることが好ましい。なお、走行距離を満たす充電容量は、計算上の走行距離に対して数ｋｍから数十ｋｍ程度の余裕分を見込んで計算しておくことが望ましい。
【００３９】
さらに、制御装置１３は、計算手段１３３が求めた個数の蓄電池モジュール２１を、以下のいずれかの方法で充電するように充放電装置１２を制御する。
【００４０】
第１の方法では、制御装置は１３は、走行距離を満たす充電容量に達するまで車両に搭載する蓄電池モジュール２１を順に充電する。すなわち、制御装置１３は、１つの蓄電池モジュール２１が満充電または規定の充電容量まで充電した後に、次の蓄電池モジュール２１が満充電または規定の充電容量まで充電するという動作を繰り返すように、充放電装置１２を制御する。なお、規定の充電容量は、満充電の充電容量（公称容量）に対して所定の倍率（たとえば、０．６〜０．８の間で選択する）を乗じた充電容量を意味する。
【００４１】
第２の方法では、制御装置１３は、車両に搭載する個数の蓄電池モジュール２１の充電容量が均等になるように充放電装置１２を制御する。この場合、計算手段１３３は、求めた走行距離を満たす充電容量を求めた蓄電池モジュール２１の個数で除算することによって蓄電池モジュール２１ごとに要求される充電容量を求める。制御装置１３は、計算手段１３３が求めた充電容量になるように、個々の蓄電池モジュール２１の充電を行うように充放電装置１２を制御する。
【００４２】
いま、１個の蓄電池モジュール２１は、容量（電力量）が１ｋＷｈ、質量が１０ｋｇであって、電気自動車の走行距離が１０ｋｍ／ｋＷｈであると仮定する。翌日に予定した走行距離が１２ｋｍであるときに、充電容量は、（１．２＋α）ｋＷｈになるから、蓄電池モジュール２１は少なくとも２個必要である。ここで、α＝０．２とする。第１の方法では、図２（ａ）のように、２個の蓄電池モジュール２１のうちの１個は満充電になり、残りの１個の充電容量は０．４ｋＷｈになる。また、第２の方法では、図２（ｂ）のように、２個の蓄電池モジュール２１は、ともに０．７ｋＷｈになる。
【００４３】
なお、装着装置１１に装着したすべての蓄電池モジュール２１を満充電まで充電しておき、翌日に予定した走行距離から求められる個数の蓄電池モジュール２１を、電気自動車２０に搭載するようにしてもよい。
【００４４】
上述したように、翌日に予定している走行距離を満足するように充電容量を決め、その充電容量を満たすように、電気自動車２０に搭載する蓄電池モジュール２１の個数が決められる。したがって、走行距離を満たすのに必要な個数の蓄電池モジュール２１を電気自動車２０に搭載すればよく、全数の蓄電池モジュール２１を搭載するよりも軽量になるから、電気自動車２０の走行に関してエネルギーの利用効率が高くなる。すなわち、蓄電池モジュール２１の残存容量に対する走行距離が長くなるという効果が期待できる。
【００４５】
上述した動作は、電気自動車２０に搭載する蓄電池モジュール２１を装着装置１１に装着して充電する場合を例示したが、ケーブル２３を用いる場合は、電気自動車２０から蓄電池モジュール２１を保持装置２２から外さずに充電することが可能である。すなわち、蓄電池モジュール２１を保持装置２２に装着したままで装着装置１１に装着した場合と同様の方法で充電することが可能になる。
【００４６】
ところで、蓄電池２１１は充放電を繰り返すことによって劣化し、満充電時の充電容量が次第に低下する。そこで、制御装置１３は、蓄電池モジュール２１ごとに蓄電池の劣化度を計測する劣化計測手段１３４を備えていることが好ましい。劣化計測手段１３４は、電池電圧によって満充電を検出し、充電開始時の残留容量と満充電に到達するまでに充電した電荷量とにより、満充電時の充電容量を計測する。
【００４７】
一般に蓄電池２１１は、電気自動車２０に使用できない程度に劣化したとしても、建物３０の電気負荷３１に給電する目的であれば使用できることがあり、建物３０の電気負荷３１にも使用できなくなると交換することになる。したがって、劣化度に対する基準値を２段階に定めておき、劣化度が比較的小さい第１の基準値に達したときに電気自動車２０に適さなくなったことを報知し、劣化度が第１の基準値よりも大きい第２の基準値に達すると交換を促すように報知することが好ましい。したがって、制御装置１３には、蓄電池モジュール２１ごとの劣化度を第１の基準値および第２の基準値と比較して報知を行う報知手段１３５が設けられる。
【００４８】
第１の基準値は、たとえば、満充電時の充電容量が公称容量の６０％になる状態の劣化度とし、第２の基準値は、たとえば、満充電時の充電容量が公称容量の３０％になる状態の劣化度とすればよい。報知手段１３５は、蓄電池モジュール２１の劣化度が第１の基準値に達すると、該当する蓄電池モジュール２１を建物専用とすることを推奨する報知を行う。また、報知手段１３５は、蓄電池モジュール２１の劣化が進み、劣化度が第２の基準値に達すると、該当する蓄電池モジュール２１を交換してリサイクル用の資材とすることを推奨する報知を行う。
【００４９】
ところで、商用電源の電気料金は、契約によって単価が時間帯ごとに変化する場合がある。たとえば、電気料金の単価は、１日に３段階に設定されている場合がある。このような場合、制御装置１３は、蓄電池モジュール２１の充電を、電気料金の単価が相対的に安い時間帯に行い、蓄電池モジュール２１の放電を、電気料金の単価が充電時よりも高い時間帯に行うように充放電装置１２を制御することが好ましい。この動作を行えば、需要家にとっては、電気料金の単価が安い時間帯の電力を利用することになり、電気料金の低減が可能になる。とくに、電気自動車２０で使用する蓄電池モジュール２１は、夜間など電気料金の安い時間帯に充電することが好ましい。
【００５０】
また、制御装置１３は、電気事業者の管理する端末装置４０と通信する通信手段１３６を備えていることが好ましい。通信手段１３６は、専用通信網や公衆網のような通信ネットワーク４１を通して端末装置４０と通信する。通信手段１３６は、端末装置４０からの指示を受けて制御装置１３に蓄電池モジュール２１の放電のタイミングを指示する。すなわち、装着装置１１に蓄電池モジュール２１が装着され、かつ蓄電池モジュール２１の残留容量が規定値以上であるとき、端末装置４０からの指示を受けて建物３０の電気負荷３１に給電することが可能になっている。ここに、蓄電池モジュール２１の残留容量が規定値以上であるとは、蓄電池モジュール２１に電気負荷３１に給電できる程度の電荷量が蓄電されている状態を意味する。
【００５１】
制御装置１３が上述した機能を有する通信手段１３６を備えていると、需要家が使用する電力量に対して商用電源から供給可能な電力量の余裕がないときに、電気事業者からの要請によって、需要家にあらかじめ蓄電されている電力を用いることが可能になる。すなわち、商用電源の電力系統３２において電力不足が生じる前に、電力系統３２から需要家に供給する電力を低減させることが可能になる。
【００５２】
なお、充放電装置１２は、蓄電池モジュール２１の充電と放電とを行っているが、蓄電池モジュール２１の充電を別途に行うのであれば、蓄電池モジュール２１の放電のみを行ってもよい。要するに、電気自動車２０の走行に用いるための電力を供給する蓄電池モジュール２１を用いて、建物３０の電気負荷３１への給電を行う機能のみを充放電装置１２に持たせてもよい。
【００５３】
以上説明したように、本実施形態の構成を採用することにより、電気自動車２０を走行させるための電力を供給する蓄電池モジュール２１を建物３０の電気負荷３１に給電するために流用することが可能になる。しかも、複数個の蓄電池モジュール２１の一部を電気自動車２０に用い、残りを建物３０で用いることが可能であるから、蓄電池モジュール２１の電力を建物３０で使用する間にも電気自動車２０の走行が可能になる。その上、電気自動車２０に搭載された蓄電池モジュール２１を建物３０で流用するから、建物３０に専用で用いる蓄電池モジュール２１を購入する必要がなく、結果的に導入費用の増加を抑制することができる。
【符号の説明】
【００５４】
１１  装着装置
１２  充放電装置
１３  制御装置
２０  電気自動車（車両）
２１  蓄電池モジュール
２１１  蓄電池
３０  建物
３１  電気負荷
３３  分電盤
１３４  劣化計測手段
１３５  報知手段
１３６  通信手段
【図１】
0005861107.tif 000002
【図２】
0005861107.tif 000003